(57)【要約】【課題】  処理の精度を向上させたプラズマ処理装置を提供する。【解決手段】  内部が減圧される略円筒形の側壁を有する真空容器２００と、前記側壁の内側面を覆って配置された略円筒形状の絶縁体製の内筒２３３と、この内筒２３３の内側の処理室内に配置されその上面に試料が載置される試料台２０４とを備え、前記処理室内に形成したプラズマを用いて前記試料を処理するプラズマ処理装置において、前記内側面上に当節して配置され前記内筒２３３の外周側面と当接してこの内筒及び前記側壁の間の空間と前記処理室内との間を封止するリング状のシール２３７と、前記空間に熱伝導性のガスを導入するガス導入手段２０１１，２０１２と、前記側壁の温度を調節する温度調節手段とを備えたプラズマ処理装置。【選択図】        図２
2006287053.tif 000002
【特許請求の範囲】
【請求項１】
内部が減圧される略円筒形の側壁を有する真空容器と、前記側壁の内側面を覆って配置された略円筒形状の絶縁体製の内筒と、この内筒の内側の処理室内に配置されその上面に試料が載置される試料台とを備え、前記処理室内に形成したプラズマを用いて前記試料を処理するプラズマ処理装置において、
前記内側面上に当接して配置され前記内筒の外周側面と当接して前記内筒及び前記側壁の間に形成される空間と前記処理室内との間を封止するリング状のシールと、
前記空間に熱伝導性のガスを導入するガス導入手段と、
前記側壁の温度を調節する温度調節手段とを備えたプラズマ処理装置。
【請求項２】
請求項１に記載のプラズマ処理装置において、前記真空容器内に配置され前記処理室内側に延在して前記内筒がその上方に配置される支持部材と、この支持部材と前記側壁とが構成する角部に配置された前記シールを備えたプラズマ処理装置。
【請求項３】
請求項１または請求項２に記載のプラズマ処理装置において、前記内筒の下端の外周側の角部に形成された切り落とし面に接する前記シールを備えたプラズマ処理装置。
【請求項４】
請求項２または請求項３に記載のプラズマ処理装置において、前記支持部材が前記内筒の前記放電室内側に対向する面を覆って上方に延在するカバー部を備え、このカバー部と前記側壁との間であってこれらと所定の隙間を介して配置された前記内筒を備えたプラズマ処理装置。
【発明の詳細な説明】
【技術分野】
【０００１】
本発明は、プラズマ処理装置に係り、特に、真空容器内に形成したプラズマを用いて真空容器内に配置した試料台上の試料を処理するプラズマ処理装置に関する。
【背景技術】
【０００２】
内側を高度に真空にした真空容器内でプラズマを形成して、同じ真空容器内に配置した試料台上の試料載置面上に載置した試料を処理するプラズマ処理装置では、処理を行っている間に、あるいは複数試料を処理する間に、プラズマに面する真空容器内の部材の表面とプラズマとの相互作用によって、この部材の温度が上昇する。
【０００３】
この温度の上昇が大きかったり、或いは温度が上昇する部材の真空容器内でプラズマに面する面積が大きかったりすると、この温度の上昇がプラズマの試料表面による処理に影響を与えてしまう。
【０００４】
そこで、試料の処理を安定させ処理を均一に行う上で、真空容器内の部材表面の温度を適切に調節することが必要となる。
【０００５】
一方、プラズマ処理装置の真空容器内では、処理中に生じる異物や削れの発生を抑制するため、真空容器内の部材、特に内側壁の部材としてプラズマとの反応が発生しにくい石英が用いられてきた。ただし、強度部材としての真空容器の側壁は別の部材、特に強度が大きく加工が容易なＳＵＳ等の金属が用いられ、割れや欠けが発生し易く脆性が大きな石英は外側の部材としては用いられることは少ない。
【０００６】
このような石英を真空容器内の部材に用いた場合、石英は熱伝導性が小さく、さらには、石英の内側部材と真空容器の外周側の部材との間の隙間により、両者の温度の伝導が損なわれ、石英の温度の時間に対する変化が大きくなってしまうという問題が有った。つまり、温度が伝導しにくいため１ロットの最初の方は石英の温度が低いが、最後の方になると温度が高くなってしまい、１つのロット中にプラズマ処理の条件が大きく変化してしまうことになり、処理の安定性が損なわれてしまうという問題が有った。
【０００７】
このこの目的のため、真空容器内のプラズマに面する内側壁の温度を略一定に維持して、処理を安定化することが行われてきた。略円筒形の真空容器の側壁を、石英を含む別部材としての内筒と外筒との二重に構成し、これらの側壁の間に熱伝達性のガスを導入してこれらの間の熱伝達を促進し、容器外の外気や外筒の周囲に配置された温度調節器（ヒータや冷媒管等）との間で熱交換を起こし真空容器外側の熱源と内側の内筒との間で熱伝達を促進して、内筒の温度を適切に調節しようとする技術が提案されている（例えば、特許文献１参照）。
【特許文献１】特開平８−２５５７８３号公報
【発明の開示】
【発明が解決しようとする課題】
【０００８】
しかしながら、上記従来の技術では、石英のような熱伝導率の小さな材質を用いた真空容器内の部材と真空容器の外側壁との間に熱伝達ガスを供給できる構成について、十分に考慮がされていなかった。
【０００９】
例えば、ガスをこのようなプラズマを形成する真空容器内の部材間の隙間に供給しようとすると、この隙間をシールすることが必要となるが、このシールするため必要な構成については、上記従来技術では何ら考慮されていなかった。
【００１０】
また、石英製の内筒は、上記の通り脆性が高いことから外力が印加されると割れや欠け等の損傷が生じ易いという問題がある。一方、Ｏリング等の弾性部材によりシールを行おうとすると、真空容器を組み立てた状態で、Ｏリングが側壁と石英製の部材との間で保持される（挟持される）とともに両者を封止できる力が印加されなければならない。このように適切に力が内筒を保持する構成に印加されることが必要であるが、このための構成については、上記従来技術では何ら考慮されていない。
【００１１】
さらに、上記内筒は、真空容器内でプラズマに面する部材であるが、この内側で生じるプラズマの発生領域は上記内筒の位置に大きく影響される。例えば、内筒の中心が試料台上の試料の中心から外れている場合には、プラズマの発生領域の中心が試料の中心から外れていることになり、試料に対する相対的なプラズマの分布が試料の中心に対して対称とならず、試料の面方向についての処理が不均一となって処理の精度が損なわれてしまうという問題がある。
【００１２】
従来の技術でも、このような中心ズレによる問題の発生を抑制するため、内外複数の壁面で真空容器内の処理室（放電室あるいは真空室）を構成する場合には、内側の壁面の中心を処理室の中心または試料台の中心と合わせるように、あるいは内外の壁面を構成するそれぞれの部材の間の隙間の大きさを、処理室の外周方向について変化が少なくなるように調整していた。隙間の大きさが小さい箇所が存在すると、そこで異常放電や熱伝達ガスを導入している場合には、温度の局所的な偏りが生じてしまい、処理が不安定となってしまい処理の精度が損なわれてしまうという問題があった。
【００１３】
これらの問題点については、上記従来技術では十分に考慮されていなかった。
【００１４】
本発明の目的は、処理の精度を向上させたプラズマ処理装置を提供することにある。
【００１５】
本発明の別の目的は、処理の信頼性または安定性を向上させたプラズマ処理装置を提供することにある。
【課題を解決するための手段】
【００１６】
上記課題を解決するために、本発明は、内部が減圧される略円筒形の側壁を有する真空容器と、前記側壁の内側面を覆って配置された略円筒形状の絶縁体製の内筒と、この内筒の内側の処理室内に配置されその上面に試料が載置される試料台とを備え、前記処理室内に形成したプラズマを用いて前記試料を処理するプラズマ処理装置において、前記内側面上に当節して配置され前記内筒の外周側面と当接してこの内筒および前記側壁の間の空間と前記処理室内との間を封止するリング状のシールと、前記空間に熱伝導性のガスを導入するガス導入手段と、前記側壁の温度を調節する温度調節手段とを備えた。
【００１７】
また、本発明は、上記プラズマ処理装置において、前記真空容器内に配置され前記処理室内側に延在して前記内筒がその上方に配置される支持部材と、この支持部材と前記側壁とが構成する角部に配置された前記シールを備えた。さらに、本発明は、上記プラズマ処理装置において、前記内筒の下端の外周側の角部に形成された切り落とし面に接する前記シールを備えた。さらに、本発明は上記プラズマ処理装置において、前記支持部材が前記内筒の前記放電室内側に対向する面を覆って上方に延在するカバー部を備え、このカバー部と前記側壁との間であってこれらと所定の隙間を介して配置された前記内筒を備えた。
【発明を実施するための最良の形態】
【００１８】
以下、本願発明の実施の形態を、図面を用いて詳細に説明する。図１は、本願発明に係る真空処理装置の実施形態の構成の概略を示す全体図である。
【００１９】
本図に示す真空処理装置１００は、図上側に配置される真空側ブロック１０１と、これに接続された図下側に配置される大気側ブロック１０２の概略２つの部分に分けることができる。
【００２０】
真空側ブロック１０１は、主に、内部が減圧されて真空に維持され処理対象の試料が搬送される複数の接続された真空容器から構成されており、図上略中心に平面形状が略多角形（六角形）の真空搬送容器１０３と、この周囲に略多角形状の各辺上に取り付けられた真空処理ユニット１０４ａ，１０４ｂ，１０４ｃ，１０４ｄおよびロードロックまたはアンロードロック室容器１０６，１０７が配置されている。なお、本実施の形態においてロードロックまたはアンロードロック室容器１０６，１０７は共に両方の動作が可能に構成されたものであり、以下、簡単のためロードロック室容器と記載する。
【００２１】
また、真空処理ユニット１０４ａ〜１０４ｄおよびロードロック室容器１０６，１０７は、それぞれその内側が真空搬送容器１０３内部と同等の真空度まで減圧され圧力が維持される真空容器を備えており、この真空容器内部にその上面に処理対象の試料が載置される載置面を備えた試料台が配置されている。特に、真空処理ユニット１０４ａ〜１０４ｄ内に配置された試料台１０５ａ〜ｄでは、試料は試料台１０５ａ〜ｄ上に載置された状態で処理される。
【００２２】
真空搬送容器１０３内には、各真空処理ユニット１０４ａ〜１０４ｄ内の試料台１０５ａ〜１０５ｄおよびロードロック室容器１０６，１０７内の試料台との間で試料を搬送するための真空搬送ロボット１０８が配置されている。この真空搬送ロボット１０８は、２つのロボットアーム１０９，１０９’を備え、それぞれのロボットアーム１０９，１０９’はその上面に試料を載せて搬送し各試料台の間で試料をやりとりする。
【００２３】
さらに、これら真空処理ユニット１０４ａ〜１０４ｄと真空搬送容器１０３との間には、これらの間を仕切り試料が開口部内を搬送されるゲートと、このゲートの閉塞および開放を行うゲートバルブとを有するゲートユニット１１０ａ〜１１０ｄが配置されている。
【００２４】
大気ブロック１０２は、主に、内部の圧力が略大気圧であってその前面側（図中下側）に試料を内包する複数のカセット１１４が取り付け可能に構成された大気搬送容器１１２と、この大気搬送容器１１２内の大気搬送室内に配置され、この大気搬送室内においてカセット１１４とロードロック室容器１０６，１０７との間で試料を大気圧下でやりとりする大気搬送ロボット１１３とを備えている。
【００２５】
さらに、大気搬送容器１１３の側方（図中左方）に取り付けられ、大気搬送ロボット１１３のロボットアーム１１３’によりカセット１１４から取出された処理対象の試料の向きや位置を調節するためのアライナ１１５が備えられている。
【００２６】
また、ロードロック室１０６，１０７は、大気搬送容器１１２の後方（図中上方）側に配置され、大気搬送容器１１２の背面と接続されている。このロードロック室容器１０６，１０７内部は、装置外周の雰囲気圧（大気圧）と同等の圧力から真空搬送容器内と同等の圧力までの間で圧力を変更することが可能に構成されている。
【００２７】
ロードロック室容器１０６，１０７と大気搬送容器１１２との間には、それぞれゲートユニット１１１が配置されており、このゲートユニット１１１内のゲートを介して大気搬送室１１２とロードロック室１０６，１０７とが連通されているとともに、ゲートユニット１１１に備えられたゲートバルブを駆動することによりこのゲートが閉塞／開放可能となっている。
【００２８】
図２は、図１に示す処理ユニットのうち処理ユニットにおける処理チャンバ部の構成の概略を示す縦断面図である。
【００２９】
この図において、処理ユニット１０４ａの上部を構成して内部に処理室を有する処理チャンバ２００は、真空搬送容器１０３に接続されておりこれらの間に配置された開閉する大気ゲートバルブ２１４によりその間が連通あるいは遮断される。この大気ゲートバルブ２１４が開放された状態で真空搬送容器１０３内部の空間と処理チャンバ２００の内側の空間とが連通し両者の圧力は略等しくなる。大気ゲートバルブ２１４の開放時に試料であるウエハが真空搬送容器１０３内部から内部の処理室内に配置された試料台２０４上に搬送されて載置される。
【００３０】
本実施の形態では、試料が試料台２０４上に試料が載置されたことを検知して確認後大気ゲートバルブ２１４を閉塞して処理チャンバ２００内部と真空搬送容器１０３内部とを遮断し、処理チャンバ２００内を密封して処理を開始する。処理チャンバ２００を真空搬送容器１０３から取外し、或いは整備する作業を行う場合、大気ゲートバルブ２１４を閉塞状態とし、処理チャンバ２００内を大気圧まで昇圧した後この処理チャンバ２００の真空容器を形成する外側チャンバ２１１，２１２内を開放して大気に暴露する。
【００３１】
この図に示すように、処理チャンバ２００の上部は放電室部が配置されており、この放電室部は、真空容器の蓋を構成する蓋部材２４２と、この蓋部材２４２の内側に配置されたアンテナ部材と、このアンテナ部材の側方と上方とに配置され放電室部を囲んで配置されたコイル２２７を有する磁場発生部と、このアンテナ部材の下方に配置された天井部材とを含んで構成されている。また、磁場発生部上方にはアンテナ部材が放出するＵＨＦ帯やＶＨＦ帯の電波を供給する電波源部２２５が配置されている。アンテナ部材はＳＵＳ等の導電性部材で構成された蓋部材２４２の内側に配置された平板形状のアンテナ２２６と、このアンテナ２２６と蓋部材２４２との間に配置されてこれらの間を絶縁するとともにアンテナ２２６から放出される電波を下方の天井部材側に伝導するために配置されたリング形状を備えた少なくとも１つの誘電体２２８を有している。
【００３２】
さらに、天井部材は、伝達されてきた電波を下方の処理室内側に伝導するため石英等の誘電体で構成された（石英）プレート２０３と、この石英プレートの下方に配置されて供給された処理用のプロセスガスを処理室の内側に分散して導入するための複数の孔が形成されたシャワープレート２３４を有している。
【００３３】
シャワープレート２３４の下方であって試料台２０４の上方に形成された空間は、供給されたプロセスガスに石英プレート２０３を通って導入された電波と磁場発生部から供給された磁場との相互作用によりプラズマが形成される放電室２３２となっている。さらに、石英プレート２０３とシャワープレート２３４との間は微小な隙間を空けて空間が形成されており、この空間に放電室２３２に供給されるべきプロセスガスが先ず供給され、シャワープレート２３４を貫通してこの空間と放電室２３２とを連通してプロセスガスが通流する上記孔を通って放電室２３２に流入する。上記空間はプロセスガスが複数の孔から分散して放電室２３２に流入するよう設けられたバッファ室２２９となっている。このプロセスガスは、プロセスガスライン２０１およびプロセスガス遮断バルブ２０２を介してガス等流体の処理ユニット１０４への供給を調節する制御器４０２から供給される。
【００３４】
このようにして、複数の孔からプロセスガスを分散して放電室２３２に導入するとともに、これらの孔は試料台２０４上に試料が載置される位置に対向した位置を主にして配置されており、ガスをより均一となるように分散できるバッファ室２２９の働きとともに、プラズマの密度を均一にすることを図っている。また、蓋部材２４２の下方で石英プレート２０３およびシャワープレート２３４の外周側には蓋下部リング２３７が配置されており、この蓋下部リング２３７の内部にはバッファ室２２９にプロセスガスが通流するプロセスガスライン２０１と連通したガス通路が設けられている。
【００３５】
さらに、シャワープレート２３４の下方には、蓋下部リング２３７とシャワープレート２３４とにこれらの下面で接して配置され真空容器の内側でプラズマに面して放電室２３２の空間を区画する放電室内側壁部材２３３が備えられている。この内側壁部材２３３の外周側にはこれを取り囲んで配置された放電室外側壁部材２３６が備えられており、この放電室の内側壁部材２３３の外側の壁面と外側壁部材２３６の内側の壁面とが対向して接触している。なお、本実施の形態では、内側壁部材２３３、外側壁部材２３６は各々略円筒形状を有しほぼ同心となるように構成されている。外側壁部材２３６の外周面には、ヒータが巻き付けられて配置され、外側壁部材２３６の温度を調節することでこれに接触した内側壁部材２３３の表面の温度を調節している。
【００３６】
この外側壁部材２３６の外周側には、その下面に接触する放電室ベースプレート２３５が配置されている。この放電室べースプレート２３５の下面でその下方に配置される真空室部分と接続する。なお、内側壁部材２３３は放電室２３２内部のプラズマ、電極の役目を果たす試料台２０４に対する接地電極の作用をする部材でもあり、プラズマの電位を安定させるために必要な面積を有している。この接地電極としての作用のために、接触されて接続される外側壁部材２３６或いは蓋部材２４２との間での熱伝導とともに導電性を十分確保する必要が有る。
【００３７】
内側壁部材２３３と外側壁部材２３６および蓋部材２４２とはともに、導電性を有する部材で構成され、処理チャンバ２００外側の大気側へ露出されており、接地のための配線の接続が容易となるように構成されている。
【００３８】
本実施の形態では、上記のように放電室部の下方に真空室部が配置され、真空容器を構成する真空室部の外壁部材は大きく上下に分けられる。上部は真空搬送容器１０３またはこれに取り付けられ真空搬送容器１０３を構成する部材にボルト等で取り付けられその位置が固定された上部外側チャンバ２１１である。一方、下部は上記上部外側チャンバ２１１の部材に下方からボルト等で取り付けられ固定され、さらに、下方からベッドや架台等からその上に取り付けられた支持梁に支持されている。つまり、上部、下部外側チャンバ２１１，２１２は、真空搬送容器１０３またはベッド部や架台に対して、或いは装置１００が設置される床面に対してその位置が固定されている。
【００３９】
ここで、処理チャンバ２００の真空室部の外壁を構成して上下に配置された外側チャンバ２１１，２１２の内側に１つ以上のチャンバが配置されており、一方が他方の内側に配置された多重チャンバとなっている。本実施の形態では、内外２つのチャンバを有している。すなわち、上部外側チャンバ２１１の内側に内側チャンバ２０９が、下部外側チャンバ２１２の内側に内側チャンバ２１０が備えられている。つまり、上下２つの内側チャンバ２０９，２１０が備えられている。試料台２０４は内側チャンバ２０９，２１０の内側に配置されており、最も内側のチャンバの内部は、プラズマが形成され、ガス、反応性生物が流れて排気される真空室２３２’を構成する。
【００４０】
この真空室２３２’は上方の放電室２３２と連通するとともに、説明するように内側チャンバ２０９と外側チャンバ２１１の間の空間と連通可能に構成され排気手段により減圧されるとともに、試料の処理の際に放電室２３２内のプラズマ、ガス、反応性生物が移動できるように配置されている。
【００４１】
また、内側チャンバ２０９，２１０は導電性を備えて、外側チャンバ２１１，２１２に対して導通を有して、所定の電位とされる。内側チャンバ２０９，２１０は上記のようにその内側のプラズマと面しており、処理を安定させるため、あるいはプラズマ内の粒子との相互作用を安定にするために、特定の電位に設定される必要が有る。本実施の形態では、内側チャンバ２０９，２１０を接して接地地電位に設定している。これにより、上記放電室内側壁部材２３３と同様プラズマの電位が安定するとともに相互作用が安定する。
【００４２】
接地させるために、内側チャンバ２０９，２１０は導電性部材で構成されており、内側チャンバ２０９の上端部あるいは下端部で導電性部材で構成された外側チャンバと導通するように構成されている。内側チャンバ２１０は、その下面で、同様に導電性部材で構成された下部外側チャンバ２１２の上面と接触して接続されており、導通が確保される。外側チャンバ２１１，２１２を配線接続して接地することで、内側チャンバ２０９または内側チャンバ２１０が接地される。
【００４３】
また、真空室部上に搭載された放電室部は、放電室２３２および真空室２３２’が減圧されるとともに、真空室部を押圧するように下方に微小距離移動して真空室部に力を印加する。このようにして真空室部と放電室部との接触する部分で、放電室部および真空室部の内側と外側との間を封止するシールを有効に機能させる。
【００４４】
上記した放電室部は放電室ベースプレート２３５が真空室部と接触してこれを押圧する。放電室ベースプレート２３５の下面は、試料台（電極）ベースプレート２２４の上面と接触し、この試料台ベースプレート２２４の下面が処理チャンバ２００の上部外側チャンバ２１１の上面と接触し、これらが接続されている。放電室ベースプレート２３５は、一方で、上部内側チャンバ２０９の上端またはこの近傍を含む上端部に設けられたフランジ部の上方に配置され、このフランジ部を介して試料台ベースプレート２２４を上方から押しつけて押圧力を伝える構成となっている。上部内側チャンバ２０９のフランジ部の外周側において放電室ベースプレート２３５が上部外側チャンバ２１１を押しつけて接触しこれに押圧力を印加する。
【００４５】
本実施の形態では、真空室を構成する壁の表面の温度を調節して、その表面とプラズマやこれに含まれる粒子、ガス、反応性生物との相互作用を調節している。このようにプラズマとこれに面する真空室の壁面との相互作用を適切に調節することで、プラズマの密度や組成等プラズマの特性を所望の状態にすることができる。一方、本実施の形態の構成では真空室部を構成する内側チャンバ２０９と外側チャンバ２１２の間には排気手段により減圧されて高い真空度に維持される空間が有り、このため真空室２３２’を構成する内側チャンバ２０９の温度を調節するには工夫が必要となる。
【００４６】
そこで、本実施の形態では、放電室ベースプレート２３５の内側に熱交換媒体が通流する媒体通路２４１を配置し、この媒体通路２４１内を水等の熱交換媒体が循環して通流することで放電室ベースプレート２３５の温度を調節し、この放電室ベースプレート２３５と内側チャンバ２０９の部材との間に配置されてこれらを接続する部材を介して内側チャンバ２０９の温度を調節している。つまり、放電室ベースプレート２３５と内側チャンバ２０９の側壁部材とが熱的に接続されており、両者間で熱が伝導されて熱交換される。熱伝導して熱交換が可能であれば、これらの間に別部材を配置してもよい。
【００４７】
なお、本実施の形態では、放電室ベースプレート２３５をその下方に配置された真空室のベースプレートでもある試料台ベースプレート２２４に対してボルト等を用いて締結して連結、接続している。この際に、上部内側チャンバ２０９を下方に押し付ける押圧力が掛かるとともに、そのフランジ部と接触して接続された部分で押し付けられる試料台ベースプレート２２４と上部内側チャンバ２０９の下部と接触して押し付けられる試料台２０４の支持ベース部材とに略垂直な方向に押圧力が掛かるよう、予め吊下げ梁２０５およびこれに支持された支持ベース部材２２３とがわずかな距離上方に浮いた状態となるように弾性を有する弾性リング２３８が、試料台ベースプレーと２２４と吊下げ梁２０５の上部との間に配置されている。
【００４８】
処理対象である試料が内側チャンバ２０９，２１０内の試料台２０４上に載置されるには、内側チャンバ２０９あるいは２１０にウエハが搬送されることのできるゲートが必要となる。さらに、このゲートを開閉して密封してこのチャンバの内側と外側の空間を遮断し連通するバルブが必要となる。
【００４９】
本実施の形態は、処理チャンバ２００の内側と真空搬送容器１０３の内側との間に設けられたゲートを開放しあるいは閉塞して密封することで両者を連通、遮断する大気ゲートバルブ２１４と内側チャンバ２０９の内側と外側とを開放し或いは閉塞して密封することで両者を連通、遮断するプロセスゲートバルブ２１３とを備えている。大気ゲートバルブ２１４は、真空搬送容器１０３の内側の側壁上に配置されて駆動手段２２２によって上下および水平方向に移動可能に構成されており、内側側壁上でゲートを密封するよう閉塞し、あるいは開放する。また、真空容器を構成する外側チャンバ２１１に、真空搬送容器１０３と処理チャンバ２００が接続されたときに前記真空搬送容器１０３側のゲートと連通する位置にゲートが設けられる。
【００５０】
この位置は、真空搬送容器１０３内のウエハ搬送用のロボットアームである試料搬送装置２０６がウエハを搬送する際にウエハおよびロボットアームに接触する等の処理の支障が生じない位置であることが必要である。また、内側チャンバ２０９が外側チャンバ２１１内に設置された状態で外側チャンバのゲート或いは真空搬送容器１０３のゲートに対向する位置にプロセスゲートが配置されており、このプロセスゲートを通ってウエハが搬送される。
【００５１】
さらに、このプロセスゲートを開放、閉塞して密封するためのプロセスゲートバルブ  ２１３が、外側チャンバ２１１と内側チャンバ２０９との間の空間に配置され、プロセスゲートバルブ２１３は、その下方の駆動手段２２１によって上下および水平方向に移動可能に構成されており、閉塞時に内側チャンバ２０９の側壁上に配置されて内側側壁上でゲートを密封するよう閉塞し、あるいは開放する。プロセスゲートは、ウエハを搬送する真空搬送容器１０３内のロボットアームがウエハを搬送した状態でウエハおよびロボットアームと接触しない位置と形状で配置されている。
【００５２】
上記の構成において、各ゲートバルブはウエハの搬送の際に支障がし生じないよう開放される。また、ウエハを処理する際には、最も内側のチャンバ、本実施の形態では内側チャンバ２０９に設けられたゲートを閉じるゲートバルブ、プロセスゲートバルブ２１３と大気ゲートバルブ２１４とは閉塞されて密封され、これらの内外の空間の間を遮断する。また、処理室を取外し、或いは整備作業等で真空容器を開放する場合には、大気ゲートバルブ２１４は閉塞された状態で、プロセスゲートバルブ２１３は開放され外側チャンバ２１１の内側における内側チャンバ２０９の内外の空間を連通する。この際、プロセスガスを処理チャンバ２００内には供給しないようプロセスガス遮断バルブ２０２を駆動してプロセスガスライン２０１を遮断して閉塞する。
【００５３】
上記のように、本実施の形態では、プロセスゲートバルブ２１３を開放して外側チャンバ２１１内の内側チャンバ２０９の内側、外側を連通し略同じ圧力に設定、あるいは調節可能に構成している。このようにすることで、この内側チャンバ２０９あるいは２１０は、内外の大きな圧力差による荷重が小さくなり部材の厚さや大きさを低減することができる。
【００５４】
処理チャンバ２００の真空容器である外側チャンバ２１１の内側を整備作業をする場合には大気ゲートバルブ２１４を閉塞して外側チャンバ２１１内を密封してこれを確認後、プロセスゲートバルブ２１３を開放する。プロセスゲートが連通され内側チャンバ２１３内外の空間が連通された状態で、大気開放バルブ２１５を開放して処理チャンバ２００外部と内部とを連通させ、処理チャンバ２００内の外側チャンバ２１１，２１２内の圧力を昇圧して略大気圧まで上昇させる、すなわち、大気開放する。
【００５５】
この大気開放後、処理チャンバ２００内を開放する。まず、処理チャンバ２００の外側チャンバ２１１の上部に配置されてこの内側を密封している蓋２０３を上方に持ち上げて開放する。この際、クレーン等で上方に持ち上げても良いが、予めヒンジ部を設けておき、ヒンジを軸にして上方に跳ね上げて１８０度以上開くようにしても良い。次に、内側チャンバ２０９を整備する作業を行う。この整備作業、例えば清掃や交換、修理等を容易に行えるようにするため、内側チャンバ２０９を外側チャンバ２１１から取出して、処理チャンバ２００から取外しても良い。
【００５６】
上記のように、内側チャンバ２０９の内外が略動圧となるまで調整、あるいは維持可能な構成を備えるので、チャンバ部材の厚さが抑制される。このため、内側チャンバ２０９の重量が軽減され取外し等取り扱い作業が容易となり、作業時間が低減され装置の稼働効率が向上する。
【００５７】
本実施の形態では、内側チャンバは上下２つ備えられており、試料台２０４のブロックの上下に内側チャンバ２０９，内側チャンバ２１０に分けられる。つまり、内側チャンバ２０９の下方に試料台２０４ブロックが配置されている。試料台２０４のブロックは、試料台本体２０４とこれを支持し試料台２０４を中心の軸にして軸周りに支持梁２２０を配置している。本実施の形態では、内側チャンバ２０９および外側チャンバ２１１と試料台本体２０４とは略円筒形をしており、内側チャンバ２０９内の試料台２０４上の空間のガスが、この支持梁同士の間の空間であって内側チャンバ２０９の間の空間を通路として下方へ流れる。
【００５８】
支持梁２２０は試料台本体２０４とこの本体の周囲に配置されたリング状の支持ベース部材２２３との間を連結して試料台２０４を内側チャンバ２０９内に保持している。上記支持べース部材２２３と支持梁２２０、および支持ベース部材２２３と連結されてこれをつり下げるつり下げ梁２０５内には、上記試料台２０４本体へ供給されるガスや冷媒の供給管や電力の送電線がその内側に配置されている。このようにして、試料台本体２０４と支持梁２２０、支持ベース部材２２３とを一体のブロックとして持ち上げて外側チャンバ２１１外へ持ち上げて取出すことができる。このような試料台２０４の整備や交換等は内側チャンバ２０９の整備よりも頻度が少なく、ブロックとして一体に移動可能な構成とすることで、装置の整備作業の効率が向上できる。
【００５９】
また、真空チャンバ２００の下部には、真空室２３２’或いは放電室２３２の状態を検出するためのセンサ２３９が配置されている。すなわち、下部外側チャンバ２１２の側壁部には、センサを収納する穴が形成されこの内側に真空室２３２’内の圧力、ガス組成、プラズマの発光等を検知してこれらの状態を検出するセンサ２３９が配置されている。このセンサ２３９、またはこれを収納する穴に連通する通路が、下部外側チャンバ２１２、および下部内側チャンバ２１０に形成されている。この通路の開口は下部内側チャンバ２１０の側面に配置されており、この通路を介して真空室２３２’内のガス、プラズマ等がセンサ２３９へ伝達される。このセンサ２３９からの出力は図示しない制御装置に伝達され、この出力を受け制御装置が処理チャンバ２００および真空処理装置１００の動作を検出し、動作を必要とする部位に適切な動作の指令を発信する。
【００６０】
試料台２０４のブロックの下方に下側の内側チャンバ２１０が配置されており、この内側チャンバ２１０の中央側部分には開口が配置されている。この開口部は内側チャンバ２１０の下方であって試料台２０４の下方に配置された排気バルブ２０７や排気ポンプ２０８を備えた排気手段と連通しており、試料台２０４の周囲を流れる内側チャンバ２０９内のガスが通流する部分である。つまり、試料台２０４周囲の支持梁２２０同士の間の空間と試料台２０４下方の内側チャンバ２１０内の空間が処理チャンバ２００内の処理ガス、プラズマ中の粒子や反応性生物の粒子が流れて排気される排気経路となっている。
【００６１】
処理チャンバ２００の排気手段である排気バルブ２０７は、その下方に配置された排気ポンプ２０８と内側チャンバ２１０の内側の空間との間を連通あるいは遮断することのできる板状のシャッター複数を備え、このシャッターを回転させて開口している排気通路面積を可変に調節して排気流量や速度を調節するシャッター式排気バルブである。このように、本実施の形態では、排気手段が試料台２０４の下方、特に直下方に配置されている。そして、内側チャンバ２０９内の試料台２０４の上方の空間内のプラズマや処理ガス、反応性生物は試料台２０４の周囲とその下方の内側チャンバ２１０内の空間を介して排気バルブ２０７までの排気経路を流れる。
【００６２】
複数の支持梁２２０は試料台２０４を中心の軸に略軸対象の位置に配置されており、各支持梁同士の間の空間を流れて試料台２０４直下方の排気バルブ２０７までの流れる各々の排気経路の長さは略等しくなるように構成されている。このため、試料台２０４上方のプラズマ中のガスや荷電粒子、反応性生物の流れは試料台２０４あるいはこの上に載置される略円板形状の試料であるウエハの周方向についてより均一に近くなり、このウエハ上方の空間においてプラズマ中の上記物質の粒子の分布はより均一となる。このため、ウエハの処理がより均一化される。
【００６３】
本実施の形態では、真空排気手段は、回転するシャッターを複数備えた排気バルブ２０７とその下方の排気ポンプ２０８とを備え、排気バルブ２０７はそのバルブが試料台２０４の直下方に配置されている。この複数枚の板状のシャッターは図のように各々略水平（ウエハ面方向）に配置され各々に取り付けられた軸を中心に各シャッターが回転して、前記内側チャンバ２１０の開口と排気ポンプ２０８との間で連通する面積を調節する。これらの軸を回転させて行くと各シャッターの板同士が接触をして前記開口を封止して閉塞する。また、各シャッターの板が試料台２０４方向（上方向）に略平行となった際に連通する面積が最も大きくなる。図示していないが排気バルブ２０７はこれらシャッターの回転を調節するモータ等の駆動手段を備えており、排気手段はこれらシャッターの開口面積と排気ポンプ２０８の駆動を調節することで排気の量とその速度とを調節している。
【００６４】
また、試料台２０４下方で排気バルブ２０７上方には、外側下部チャンバ２１２に設けられた排気開口ゲート２３１上部を覆ってこれを開閉（開口／遮断）する排気ゲートプレート２３０が配置されている。この排気ゲートプレート２３０は、略円板形状を有し一部の外縁周端に外側に延在した腕部の対を少なくとも１つをその一部として有し、この腕部の下方に配置されたプッシャの上端が上下に動作することで、この上端に繋がれた腕部を持ち上げ／下げして排気開口を開閉する。この排気ゲートプレート２３０はその下方への投影面は上方の試料台２０４の投影面内に収まるように、また、腕部の投影面は上方の支持梁２２０の投影面内に収まるか、少なくとも一部が重なるように配置されている。
【００６５】
また、図２に示すように、排気ゲートプレート２３０は、プラズマを形成して試料の処理を行う際にはその両端部に配置された上下方向のプッシャによりその上方の試料台２０４部および支持梁２２０の下面に近接或いは接触するまで持ち上げられ移動される。これにより、試料の処理に伴って排気される処理室内のプラズマやプロセスガスの残り、反応生成物等の流れが排気ゲートプレート２３０により阻害されることを抑制でき、排気の効率を向上させ、さらには支持梁２２０および試料台２０４下方の真空室２３２’内の阻害され乱された排気の流れを安定させるために必要な空間が抑えられ処理チャンバがより小型化され排気時間の短縮、ひいては処理の効率が向上する。さらに、上記の構成では、粒子が排気ゲートプレート２３０に付着することを抑制している。このことによりこの排気ゲートプレート２３０の交換や付着物除去等のメンテナンスの間隔を長くできる。
【００６６】
本図に示す処理ユニット１０４ａにおける試料の処理の概略を説明する。真空搬送容器１０３内をロボットアーム２０６上に載せられた試料が真空搬送容器１０３と真空室部との間のゲートおよび内側チャンバ２０９上のゲートとを通して搬送され、内部が真空にされた真空室２３２’内の試料台２０４上の試料載置面上に載置された後、制御器４０２を介しプロセスガスライン２０１および蓋下部リング２３７内の通路からバッファ室２２９に供給された処理用のガスがシャワープレート２３４上に形成された貫通孔を通して試料台２０４およびその上の試料上方の放電室２３２上部からプロセスガスが導入される。これとともに、排気ポンプ２０８の駆動により放電室２３２、真空室２３２’内は、排気ゲートプレート２３０と下部内側チャンバ２１０との間の空間から排気開口ゲート２３１を通り排気される。
【００６７】
略円形の排気開口ゲート２３１は、略円筒形の試料台２０４の直下方で上の試料台２０４の軸とその軸とが略一致するように配置されており、上記放電室２３２、真空室２３２’のガスや反応生成物の密度の偏りや不均一を抑制し、これらからの排気がより均一となる。また、複数配置された回転するシャッター２０７は、その回転動作によって開口内の排気の通流位置の偏りが小さくされるので、さらに排気の均一性ひいてはプラズマ、反応生成物の均一性が向上され処理の安定性、均一性が向上する。
【００６８】
排気ポンプ２０８の駆動およびシャッター２０７の回転動作と前記処理用ガスの供給とが図示しない制御装置によって調節され、処理チャンバ２００内部の圧力が所定の値となるように調節される。さらに、電波源２２５からアンテナ２２６を介して供給される電界およびコイル２２７からの磁界とにより、放電室２３２内に供給された処理用ガスがプラズマ化される。また、図示しない高周波電源からの高周波電力が試料台２０４内の電極に供給されて、試料上にバイアス電圧が形成され、前記プラズマとの相互作用により試料がエッチング等の加工処理がなされる。
【００６９】
この処理の際に、プラズマに面する部材表面ではプラズマとの相互作用が生起し、その部材の温度が変化する。この上昇の温度が高い場合あるいは温度変化する表面の面積が大きい場合には、試料表面の処理への影響が大きくなる。このため、この部材表面の温度を適切に調節することが試料の処理の安定性や精度を向上するうえで必要となる。
【００７０】
本実施の形態では、放電室内側側壁を構成する石英内筒２３３と放電室外側壁部材２３６との間の隙間に熱伝導性の高いガス、例えはＨｅガスを導入して、放電室外側壁部材２３６外周に配置されたヒータあるいは放電室外周の雰囲気との間での熱伝導、熱交換を促進して、石英内筒２３３の表面の温度を所望の値となるように調節して、処理の安定性、精度を向上させている。この石英内筒２３３の表面の温度の調節は、制御器４０３によって行うことができる。
【００７１】
上記Ｈｅガスは、上記プロセスガスライン２０１と異なる熱伝導ガスを供給するための経路となる管路である熱伝導ガスライン２０１１とこの経路上に配置された遮断バルブ２０１２を介して、制御器４０３から蓋下部リング２３７内に配置された通路へ供給され、この通路から石英内筒２３３と放電室外側壁部材２３６との間の空間に供給される。
【００７２】
この空間内での熱伝達の効率や伝達する熱量は、この空間内のＨｅガスの圧力により調節される。この圧力はセンサを用いて検知され、本実施の形態では、制御器４０３あるいは遮断バルブ２０１２に配置された図示しないセンサを用いて、供給経路上での圧力に相当する結果として検出される。制御器４０３は、この検出結果を用いて、供給するＨｅガスの量を調節するための動作指令を遮断バルブ２０１２に発信する。本実施の形態では、遮断バルブはその開閉の動作によってガス供給と経路の遮断とを行うことで、前記空間での圧力を増減して調節している。
【００７３】
試料の処理が終了すると、ロボットアーム２０６により試料台２０４上の試料が搬出され、別の試料が試料台上に載置後に上記と同様にして、あるいは処理に必要な条件を変更して試料の処理が行われる。処理後の試料が搬出されて別の試料が載置されて処理が再開されるまで、プラズマは形成されていないので、放電室２３２、あるいは真空室２３２’内の内側部材は温度の上昇は抑制されるが、処理を開始する際にその温度を処理に適切な所定の温度にしておくため、本実施の形態では、処理の開始前にヒータおよび石英内筒２３３と放電室外側壁部材２３６との間のＨｅガスの圧力を処理に必要な状態に設定し維持している。また、その温度は単一または複数の処理の間で均一であることが望ましいことから、温度調節が行われない場合に達する温度の最高値よりも高い温度となるように、ヒータおよびＨｅガスの供給の動作が調節される。
【００７４】
放電室外周部分の詳細な構成を、図３を用いて説明する。図３は、図２に示す実施例の放電室部および真空室部の接続部分の構成を拡大して示す縦断面図である。
【００７５】
蓋部材２４２の下方であって石英プレート２０３の下方およびシャワープレート２３４の側方にこれらの外周側を囲んで蓋下部リング２３７配置されている。この蓋下部リング２３７は、その下向きの表面が下方の放電室外側壁部材２３６の上表面と対向して接している。放電室ベースプレート２３５の内側に熱交換媒体が通流する媒体通路２４１が配置されており。また、石英プレート２０３はその上部は大気側に露出しており、放電室２３２、真空室２３２’が減圧された場合には大気に基づく外圧力が印加され、この力は蓋下部リング２３７、放電室外側壁部材２３６に対して下向きに押圧する力として伝達される。また、蓋下部リング２３７および放電室外側壁部材２３６はその一部が外部の大気側に露出しており、このため石英プレート２０３と蓋下部リング２３７とが接触する面、および蓋下部リング２３７と放電室外側壁部材２３６とが接触する面には減圧される内側と外側との間を封止するシールが配置されている。
【００７６】
また、放電室外側壁部材２３６の略円筒形状部の内周側表面および蓋下部リング２３７と適宜空間を開けて配置された放電室内側壁部材である石英内筒２３３は、その内側の放電室２３２を囲む略円筒形状を有し、その上端部の外周側には、円筒の外周に沿って配置されたシール部材２５１が配置されている。このシール部材２５１を介して、石英内筒２３３は上方のシャワープレート２３４および蓋下部リング２３７の内周面と接続、連結している。放電室外側壁部材２３６の外周には、上記のように、その周囲に沿ってヒータ２４０が配置されており、このヒータ２４０は放電室外側壁部材２３６とこの内側で放電室２３２内のプラズマに面する石英内筒２３３の温度を調節する。
【００７７】
このように、放電室外側壁部材２３６は、その上表面において蓋下部リング２３７を介して印加される押し付け力を受け下方の部材に力を印加して伝達している。さらに、放電室外側壁部材２３６はその下部で外周に沿って外周側に延在したフランジ部を有し、このフランジ部の下面と試料台ベースプレート２２４の内周端部の上面とが対向して接触して接続されている。両者は、放電室ベースプレート２３５上方から挿入されたボルトにより締結されている。この構成により、より大きな接触面積を得られ、押し付け力、熱を下方により効率良く下方に伝達でき、導電性も向上する。なお、本実施例では、放電室外側壁部材２３６は熱伝達、導電性および処理中の汚染等を配慮してアルミで構成されるが、放電室ベースプレート２３５は内部を熱伝達媒体が通流することから熱伝達、導電性とともに腐食を考慮してＳＵＳの部材で構成されている。
【００７８】
放電室ベースプレート２３５の下方には、上部内側チャンバ部材２０９が配置され、これらの間には、これら各々と接触して接続される中間部材２０９’が配置されている。なお、この中間部材２０９’は放電室２３２または真空室２３２’に面してこれらを区画する壁面を構成しており、プラズマ或いはガス、反応生成物に面する。本実施の形態では、この中間の部材をアース側と連結して、すなわち設置してプラズマの電位を安定させるためのアース部材２０９’として用いている。
【００７９】
このアース部材２０９’は、その上方に石英内筒２３３が載置されて、後述の通りシールを介してこれを下方から支持する部材である。また、アース部材２０９’は石英内筒２３３の下端部の外周側にこの外周に沿って配置されたリング状の形状を有し、所定の大きさの幅を有するフランジ部を内周側と外周側とに有し、これらを繋げる段差部を有している。内周側のフランジ部は放電室外側壁部材２３６下方で上部内側チャンバ２０９の上端と石英内筒２３３下端部との間に配置され、これらと連結する、中間の部材となっている。ここで内側フランジ部は、その内周端の端面で石英内筒２３３の下端部の内周面を覆って上方に延在するカバーフランジ２０９’’を有している。つまり、このカバーフランジ２０９’’の内周側表面は放電室２３２の内側側壁面を構成して、放電室２３２の中央側に配置された試料台２０４に対向して配置されている。
【００８０】
アース部材２０９’の内側フランジ部上面であってカバーフランジ２０９’’の外周側は、その上方に石英内筒２３３および放電室外側壁部材２３６の下部が配置されている。石英内筒２３３の下端部外周と放電室外側壁部材２３６の下端内周とに接して、石英内筒２３３と放電室外側壁部材２３６の間の隙間を封止するシール部材２５１が配置されている。さらに、内側フランジ部上面と放電室外側壁部材２３６との接触面の外周側には、シールが配置されており、処理室外部の大気側と内側との間を封止している。
【００８１】
この構成では、プラズマに面するカバーフランジ２０９’’の外周側とこれに内側表面が覆われる石英内筒２３３の下端部との間には、取付公差を考慮して隙間が存在しており、この隙間を通りプラズマが石英内筒２３３の下端部に進入するおそれがある。つまり、プラズマ内の高いエネルギーや腐食性を有する粒子が、石英内筒２３３周囲の隙間を進入してこれを構成する部材やその端部の部材を浸食したり飯能市たて生成物を形成したりする虞がある。
【００８２】
本実施の形態では、進入したプラズマは、その隙間の端部となる石英内筒２３３とアース部材２０９’の内側フランジ部上面とが対向して配置された箇所に達するが、隙間はさらに外周方向に形成されており、プラズマが進路を変えなければならないことから、進入を抑制することができる構成となっている。この外周側の隙間となる石英内筒２３３の下端下表面とアース部材２０９’の内側フランジ部上面との隙間の外周側にシール部材２５１が配置されており、このシール部材２５１がプラズマにより腐食したり、生成物が形成され付着したりすることが抑制される。
【００８３】
さらに、アース部材２０９’の外側フランジ部は放電室ベースプレート２３５の下面と上部内側チャンバ２０９の上端部の表面とに接触して接続され、放電室ベースプレート２３５と上部内側チャンバ２０９とを接続している。上部内側チャンバ２０９は、外側フランジ部が接続される箇所では、その上端または上端近傍に略水平方向に延在するフランジ部を有してその上端部は断面が略Ｌ字またはＴ字となっている。このフランジ部上面と上方の中間部材２０９’の外側フランジ部下面とが接触されて接続されている。中間部材２０９’の外側フランジ部の内周側（真空室、放電室の中央側）或いは内側チャンバ２０９の側壁部上端のフランジ部の内周側には内側と外側との間を封止するシールが配置されている。中間部材２０９’の外側フランジ部の外周端部および内側チャンバ２０９の側壁上端のフランジ部の外周端は、処理チャンバ２００の外部の大気に露出されるか、あるいは大気圧の外部と連通されており、その表面での圧力はおよそ大気圧となっている。
【００８４】
このため、中間部材２０９’と内側チャンバ２０９の側壁部上端のフランジ部とが接触する面の間にあるいは中間部材２０９’の外側フランジ部と放電室ベースプレート２３５の下面とが接触する面の間に大気が存在している。さらには、この接触面には石英プレート２０３、蓋下部リング２３７等に印加される大気圧による押圧力が伝達され、接触面積を大きくしている。これにより、この接触部分を介した熱伝導や導電の性能が向上する。また、内側チャンバ２０９上端のフランジ部下面と試料台ベースプレート２２４の上面とが接触する接触面にもシールが配置されている。
【００８５】
なお、放電室ベースプレート２３５は、図示しないコネクタを介して接地電位にされており、この放電室ベースプレート２３５と同様に導電性の部材で構成されてこれと接触しているアース部材２０９’も同様に接地電位とされ、放電室２３２内のプラズマに対するアースとしての作用を奏している。
【００８６】
上記の通り、本実施の形態では、石英内筒２３３と放電室外側側壁２３７との間および蓋下部リング２３７との間にある隙間からなる空間３０１に、熱伝達用のガスであるＨｅガスを供給して、石英内筒２３３の内側表面の温度を適切に調節している。この空間３０１に供給されるＨｅガスは、約１Ｋｐａ程度の圧力に調節され、このＨｅガスが放電室２３２内に漏洩すると、プラズマの密度や生成物の密度の分布が変わってしまい、処理に影響を与えるので、これを隙間内に封止するために石英内筒２３３の下端部および上端部にシール部材２５１，２５１’が配置されて、石英内筒２３３の高さ方向の大部分の外周側面によって前記空間３０１が形成されるように構成されている。これにより、石英内筒２３３の内側表面の広い面積で温度調節が行われ、処理の均一性、安定性が向上される。
【００８７】
また、Ｈｅガスは、熱伝達ガスライン２０１１を構成するガス導入管３０２とこれに連通する蓋下部リング２３７内の貫通孔の内側を通流して蓋下部リング２３７の内側表面に形成された開口から、空間３０１に流入する。この開口は、シール部材２５１，２５１’の間で空間に面している。
【００８８】
図４は、図３に示すプラズマ処理装置に係る真空容器の側壁部の構成を拡大して示す縦断面図である。各々が断面円形状の弾性体製のリングであるシール部材２５１，２５１’は、石英内筒２３３の下端部および上端部の外周側の円形の周に沿って配置され、それぞれの外終端部と接してこれらの間の封止をしている。また、本実施の形態では、それぞれ空間３０１を構成する放電室外側壁部材２３６の内側壁面および蓋下部リング２３７の内周側面に当接するとともに、石英内筒２３３の上下に配置されてこれと対向しているアース部材２０９’およびシャワープレート２３４とに当接して空間３０１を封止している。空間３０１はこれらシール部材２５１，２５１’各々の複数の対象に対する複数箇所での当接により封止されることでＨｅガスの放電室２３２内への漏洩が抑止されている。
【００８９】
これらのシールのうち、シール部材２５１は、先ず、石英内筒２３３がアース部材２０９’上に配置されていない状態で、アース部材２０９’上面と放電室外側壁部材２３６とが当接する角部に装着される。この角部、すなわち、放電室外側壁部材２３６の内側下端部とこれに対向するアース部材２０９’上面の位置には、このシール部材２５１を嵌め込んで位置を決めるための凹み或いは切り欠き部が各々に設けられている。この凹みまたは切り欠き部は、放電室外側壁部材２３６の形状に沿ってリング状に配置されている。
【００９０】
次に、石英内筒２３３をアース部材２０９’のカバーフランジ２０９’’の外周側面と放電室外側壁部材２３６との間の隙間に上方から挿入するように配置する。この際に、石英内筒２３３の下端部外周側の角部に形成された切り欠きまたは切り落とし部（面取り部）の表面がシール部材２５１と当接するように配置する。この石英内筒２３３の装着の際に、蓋下部リング２３７が装着されていても良いし、石英内筒２３３装着後に放電室外側壁部材２３６上に配置しても良い。また、蓋下部リング２３７と放電室外側壁部材２３６との間には、空間３０１からのガス洩れを抑制するためのシール部材が配置されている。
【００９１】
次に、シール部材２５１’を石英内筒２３３の上端部外周側の角部の切り落とし部、切り欠き部（面取り部）の表面と蓋下部リング２３７の内周側上端部の切り欠き部表面とに当接するように配置する。
【００９２】
次に、蓋下部リング２３７および石英内筒２３３の上端面を覆ってにシャワープレート２３４を配置する。本実施の形態では、シャワープレート２３４の外終端部にはその厚さを小さくするように凹まされた段差部が配置されており、この段差部（凹み）に石英内筒２３３および蓋下部リング２３７の上面が入るように、シャワープレート２３４が装着される。シャワープレート２３４装着後に図示しない蓋部材である石英プレート２０３が蓋下部リング２３７上に載せられる。
【００９３】
このシャワープレート２３４の重量の印加により、弾性体製のリングであるシール部材２５１’およびシール部材２５１は変形して、その反力によって当接している各部材の表面に押圧力を与え、封止機能を高く発生させる。なお、必要に応じてシャワープレート２３４の段差部表面であってシール部材２５１’が当接する部分にはリング上に凹み部を設けてシール部材２５１’の位置決めが容易に行われるようにしても良い。
【００９４】
シール部材２５１は、上記のように、３つの部材である石英内筒２３３、放電室外側壁部材２３６およびアース部材２０９’に当接している一方で、石英内筒２３３をアース部材２０９’上であって放電室外側壁部材２３６の内側に空間３０１を形成して保持している部材となっている。本実施の形態では、石英内筒２３３は、シール部材２５１によってアース部材２０９’上面との間に隙間を開けて保持して接触を抑止することで、過度な荷重がが石英内筒に掛かり割れや欠けや損傷の発生を抑制している。
【００９５】
一方、上部シールであるシール部材２５１’は、石英内筒２３３上端部外周側の切り欠き（面取り）部、蓋下部リング２３７内周側切り欠き（面取り）部とシャワープレート２３４外周側部の凹み部表面とに当接している。ここでも、シール部材２５１’が間に存在することによりシャワープレート２３４と石英内筒２３３との間は隙間が形成され両者の接触による割れ、欠け、損傷等が抑制される。
【００９６】
このような構成では、シール部材２５１は、空間３０１を、石英内筒２３３と放電室外側壁部材２３６とアース部材２０９’との間で封止するとともに、その弾性の反力によりアース部材２０９’上に支持すると共に、石英内筒２３３の外周に沿って放電室の中央側にも押圧力を発生させている。
【００９７】
これにより、石英内筒２３３が放電室２３２の中央部方向に外周側から略均等に押し付けられることになって、空間３０１の放電室半径方向の隙間長さの不均一が抑制される。隙間の大きさが不均一であったり、石英２３３と放電室外側壁部材２３６との間の隙間長さが極端に小さい箇所がある場合には、この箇所での異常放電が発生したり、熱伝達率が変化して、放電室２３２の周囲の壁の温度の局所的な偏りが発生して、処理の均一性が損なわれてしまう。上記の構成は、このような処理の不均一や異常放電の発生を抑制することができる。
【００９８】
また、シール部材２５１は、石英内筒の下端部外周側に配置されており、石英内筒２３３とカバーフランジ２０９’’との間の隙間を通して進入したプラズマが到達しにくくされている。このため、プラズマによるシール部材の腐食や生成物付着によるシール性能の低下が抑制され、その寿命が延長される。
【００９９】
さらに、石英内筒２３３の上端部では、シャワープレート２３４の外周側段差部内に入るように配置されており、シャワープレート２３４と石英内筒２３３との隙間の内周側の開口部はシャワープレート２３４の段差で覆われるように構成されている。これにより、石英内筒２３３の下端部側のシールと同様に、プラズマにシール部が直接さらされることを抑制するとともに、プラズマが隙間に進入する場合には、進路を外周側に変えることが必要となり、プラズマのシール部材２５１’への到達を抑制して、プラズマとの相互作用による悪影響を抑制して、シール部材の寿命を延長して、メンテナンス間隔を増大し処理の効率を向上する。
【０１００】
図５は、図４に示すプラズマ処理装置に係る真空容器の側壁の構成の変形例を示す縦断面図である。本図において図５（ａ）〜図５（ｂ）の順に、本例のシールの装着を説明する。図５（ａ）において、放電室外側壁部材２３６は図２に示す実施の形態と異なり上下方向に接続される複数部材２３６，２３６’で構成されており、その下方の放電室外側壁部材２３６をアース部材２０９’の内側フランジ部上面に配置した状態が図示されている。
【０１０１】
放電室外側壁部材２３６、２３６’は、図２に示す実施の形態と同様に略円筒形状を有しており、その円筒の中心を放電室２３２と略同一に配置され、試料台２０４の中心軸とも略同一に配置される。この上端の内周側端部には切り欠き部（凹み部）５０１が設けられ、この凹み部５０１内に断面が略円形のリング状の弾性体製シール部材２５１が配置される。このシール部材２５１はその断面の直径が凹み部５０１の凹みの幅（図面上段差の左右方向の長さ）および深さ（図面上段差の上下方向の長さ）よりも少し大きいように構成されている。
【０１０２】
つまり、シール部材２５１を凹み部５０１に配置した状態で、シール部材２５１の下端と放電室外周側端（図上右端）とが凹み部の表面と接した状態で、上端部と放電室内周側（図上左端）とが凹み部から突出して、放電室外側壁部材２３６の上面と内周側面とよりそれぞれ上方、図上左側に凸状に出ている。この状態で、石英内筒２３３をアース部材２０９’上に配置する。
【０１０３】
すなわち、アース部材２０９’のカバーフランジ２０９’’の外周側面と放電室外側壁部材２３６’の内周面との間の隙間に石英内筒２３３を上方から挿入してアース部材２０９’上に配置する。この際シール部材２５１と石英部材２３３の外周側面とは、僅かに触れるか隙間を開けられて配置されている。
【０１０４】
次に、放電室外側壁部材２３６’の上方に別の放電室外側壁部材２３６’’を載せて両者を連結して位置固定する。この際、上記凹み部５０１内に配置されたシール部材２５１は、上下の放電室外側壁部材２３６’，２３６’’と凹み部５０１の壁面とに挟まれてつぶされ、変形しその端部が放電室２３２中央側（図上左方の石英内筒２３３側）に伸ばされ、石英内筒２３３外周側面に当接する。
【０１０５】
このことにより、石英内筒２３３はその外周に沿って外周側から中央側に略均等に押圧されることになる。これにより、シール部材２５１は、空間３０１を石英内筒２３３と放電室外側壁部材２３６’および放電室外側壁部材２３６’’の間で封止する。石英内筒２３３と放電室外側壁部材２３６’との間の空間３０１の放電室２３２半径方向の隙間長さが、周方向について略均一に配置できる。また、上記の通り、プラズマがシール部材２５１まで進入することが抑制され、シール部材２５１の寿命が延長される。
【０１０６】
また、カバーフランジ部２０９’’により、石英内筒２３３とアース部材２０９’上面との間にプラズマが進入することが抑制され、この隙間での異常放電が抑制される。
【０１０７】
なお、カバーフランジ部の長さは、石英内筒２３３とアース部材２０９’との間の隙間や空間を覆ってプラズマに直接さらされないようにすることと同時に、接地電極としてプラズマの電位を安定させるに十分な面積を有する形状にすることが必要となる。上記の作用を奏することができる形状であれば本図に示された形状に限定されるものではない。例えば、接地電極の面積が十分であれば、カバーフランジ部２０９’’の上方に延在する高さを小さくすることができ、図５に示すようにシール部材２５１が石英内筒２３３の外周側下端部よりさらに上方に位置している場合には、プラズマの進入が抑制されているのでカバーフランジ部２０９’’の高さは０であっても構わない。
【０１０８】
図６は、図４に示すプラズマ処理装置に係る真空容器の側壁の構成の別の変形例を示す縦断面図である。図６（ａ）は、図４に示す石英内筒２３３と放電室外側壁部材２３６とアース部材２０９’およびシール部材２５１の構成の変形例を示す図である。この図において、図４の例との差異は、図５に示す例と同様に、石英内筒２３３の下端部の外周端部にシール部材２５１がその内側に配置される切り欠き（凹み部）６０１が配置される点である。
【０１０９】
石英内筒２３３は、図４と同様の弾性体製のシール部材２５１がアース部材２０９’と放電室外側壁部材２３６とが当接する角部（放電室外側壁部材２３６の内周側下端部）に両者に当接するように配置された状態で、アース部材２０９’のカバーフランジ部２０９’’外周側壁と放電室外側壁部材２３６との間に両者と隙間を開けて挿入されて配置される。この際、シール部材２５１は前記石英内筒２３３下端部の切り欠き（凹み部）６０１内に配置するように、前記石英内筒２３３が挿入される。
【０１１０】
石英内筒２３３の重量により下方に押圧され、弾性体であるシール部材２５１が潰れるように変形し、図上左右方向の大きさが上下方向の大きさより大きくなるように変形する。ここで、シール部材２５１の断面円形状の直径は、凹み部６０１の幅、深さより大きいものであり、石英内筒２３３が装着されシール部材２５１と凹み部６０１内の表面が当接した状態で、シール部材２５１の下端部が石英内筒２３３の下端面よりも下方に突出してアース部材２０９’上面と当接している。また、シール部材２５１の外周側端部（図上右端部）は石英内筒の外周側面より外周側に突出して、放電室外側壁面２３６の内周面と当接している。また、この状態で石英内筒２３３はアース部材２０９’上面と放電室外側壁面２３６内周面とは隙間を介して配置されている。
【０１１１】
さらに、図４に示されるように、石英内筒２３３の上端部にシール部材２５１’が配置された場合には、シャワープレート２３４を取り付けた際の重量により、さらにシール部材２５１に荷重が印加されてその変形が生じる。さらに、この状態で、シール部材２５１は石英内筒２３３がアース部材２０９’上面と放電室外側壁面２３６内周面とは隙間を介して配置されるよう弾性と形状とを備えていることが望ましい。
【０１１２】
このように、シール部材２５１は、上方から石英内筒２３３の重量、またはシャワープレート２３４からの荷重を受けて変形するとともに、その弾性による反力を当接する各部材に印加し、特に、石英内筒２３３に対して、図上上下方向および左右方向に押圧力を印加する。このことにより、石英内筒２３３の上または下端部の外周側に沿って配置されたシールにより放電室２３２中央側に力が印加されて、この押圧力が石英内筒２３３の位置を調節し石英内筒２３３の中心と放電室２３２または試料台２０４の中心とが略同一となるように働く。このことで、石英内筒２３３の位置が、空間３０１の半径方向隙間の大きさの周方向についての不均一さを低減するように決められる。
【０１１３】
図６（ｂ）は、図４に示す石英内筒２３３と放電室外側壁部材２３６とアース部材２０９’およびシール部材２５１の構成の変形例を示す図である。この図において、図４の例との差異は、図５に示す例と同様に、石英内筒２３３の下端部の外周端部にその角部を略平面状に切り取った形状の切り欠き部（面取り部）６０２による傾斜面が配置され、この傾斜面６０２とシール部材２５１と当接すると共に、石英内筒２３３の下端部内周側部には、その角部を曲面状に面取りした曲面部６０３とを備えている点である。
【０１１４】
また、この変形例では、放電室外側壁部材２３６の内周面下端部のシール部材２５１が当接する箇所に配置されてシール部材２５１が内部でその表面と当接する切り欠き部（面取り部）６０４と、アース部材２０９’’の内側フランジ部状面であってシール部材２５１が当接する箇所に配置され内側でシール部材２５１が当接する凹み部６０５とが配置されている。この場合でも、石英内筒２３３が放電室２３２内部に装着された状態で、シール部材２５１が石英内筒２３３と放電室外側壁部材２３６とアース部材２０９’とに当接して、これらがシール部材２５１を介して連結される。石英内筒２３３の下端部内周側端部の曲面部６０３は、石英内筒２３３をフランジカバー部２０９’’と放電室外側壁部材２３６との間に設置して位置を決める際に、アース部材２０９’上面等と接触する場合でも石英内筒２３３の割れや欠け、損傷等が生じないように形成される。また、石英内筒２３３の上面または下面にシール部材２５１’，２５１を配置し、上方のシャワープレート２３４からの押圧力による変形で生じるシール部材２５１’，２５１からの弾性反力によってシャワープレート２３４と中間部財２０９’の間に石英内筒２３３を保持してもよい。
【０１１５】
次に、図７を用いて本発明のプラズマ処理装置の別の実施の形態について説明する。図７は、本発明のプラズマ処理装置の別の実施形態に係る真空容器を中心とする構成の概略を示す縦断面図である。
【０１１６】
この図において、図２と同様のプラズマ処理装置の真空容器を中心とする構成が示されており、同一の符号が付された部品については説明を省略する。図２の実施の形態との差異は、熱伝達ガスであるＨｅガスの導入手段に変えて別の処理用ガスの導入経路を備えた点である。図７において、図２と同様な部分については同じ符号を付しており、その具体的な説明は省略する。
【０１１７】
本実施の形態では、制御器４０２、プロセスガスライン２０１および遮断バルブ２０２を備えた第一の処理用ガス供給経路と、制御器４０３’、プロセスガスライン２０１１’および遮断バルブ２０１２’とを備えた第二の処理用ガス供給経路とを備えている。
【０１１８】
第一、第二の処理用ガス供給経路は、各々が各々の処理用ガスの流量あるいは速度を調節する制御器４０２，４０３’および遮断バルブ２０２，２０１２’とを備えている。これらにより、各々の経路から異なる処理用ガスが異なる流量や速度で放電室２３２内の異なる箇所に供給される。
【０１１９】
また、これら２つの処理用ガス供給経路同士を連通する経路である管路７０１とこの管路７０２上に配置され管路内のガスの流れを調節する調節バルブ７０２とが配置されている。この連通経路は、プロセスガスライン２０１，２０１１’と遮断バルブ２０２，２０１２’の下流側で連結されて、一方の処理用ガスを他方のプロセスガスラインに流して、異なる箇所から同一の処理用ガスを供給することができるように構成されている。
【０１２０】
その場合、例えば、制御器４０２からの処理用ガスをプロセスガスライン２０１および２０１１’から放電室内に導入する場合、遮断バルブ２０１２’を閉じ、さらに遮断バルブ７０２を開放する。制御器４０２からの処理用ガスは、プロセスガスライン２０１を通ってバッファ室２２９に、同時にプロセスガスライン２０１に連結された管路７０２を介してプロセスガスライン２０１１’の遮断バルブ２０１２’下流側の経路を通って、蓋下部リング２３７を通る貫通孔から放電室外側壁部材２３６と石英内筒２３３との間の空間３０１へ導入される。
【０１２１】
本実施の形態では、遮断バルブ２０２，２０１２’の動作と制御器４０２，４０３’の動作を調節することで、放電室２３２内のプラズマの密度や強さ等の処理条件を可変に調節することができる。このように処理条件を変更することで、複数種類の膜が積層された試料やそれぞれで異なる種類の膜が配置された試料等それぞれの膜や試料毎に処理の条件を変更して処理することが必要な場合に迅速に対応でき、処理の効率が向上する。
【０１２２】
また、複数の種類のガス源からの処理用ガスをそれぞれの種類のガスを供給する経路を介して放電室に導入する場合には、プロセスガスライン２０１，２０１１’同士を連結する管路７０２を遮断するため、遮断バルブ７０１を閉じ、それぞれのプロセスガスライン上に配置された遮断バルブを動作させ、各処理用ガスの供給を導入する。
【０１２３】
例えば、制御器４０２からの処理用ガスは、遮断バルブ２０２の動作によりその流量が調節されてプロセスガスライン２０１および蓋下部リング２３７内に形成された貫通路を通りバッファ室２２９内に供給される。
【０１２４】
一方、制御器４０３’からの処理用ガスは遮断バルブ２０１２’の動作によりその流量或いはその速度が調節され、プロセスガスライン２０１１’とこれに連通された蓋下部リング２３７内の貫通路を通り放電室外側壁部材２３６とその内側の石英内筒２３３との間の空間に導入される。
【０１２５】
このようにして供給された処理用ガスは、バッファ室２２９内で一端拡散して後、シャワープレート２３４に配置された貫通孔を通り放電室２３２上部であって試料台２０４の試料載置面上方から放電室２３２内に導入される。
【０１２６】
一方、石英内筒２３３外周を覆って形成される空間３０１に供給される処理用ガスは、この空間内に一端拡散した後、石英内筒２３３の上部に形成された図示を省略した貫通孔を通って放電室２３２の外周側上部から放電室２３２内に導入される。
【０１２７】
次に、図８を用いて、図７に示す石英内筒２３３と放電室外側壁部材２３６とを含む構成について詳細に説明する。図８は、図７に示すプラズマ処理装置に係る真空容器の側壁の構成を拡大して示す縦断面図である。
【０１２８】
上記の通り、プロセスガスライン２０１１’内を通って供給される処理用ガスは、このプロセスガスライン２０１１’を構成する管（図８に示されていません）路内を通り、この管路と連通する蓋下部リング２３７に形成された貫通路（ガス導入管）３０２内を通って、石英内筒２３３の外周側壁面と蓋下部リング２３７および放電室外側壁部材２３６の内周壁面との間に形成される空間３０１内に導入される。導入された処理用ガスはこの空間３０１内に拡散してほぼ充填される。
【０１２９】
この空間３０１は、図４に示される空間３０１と同様、処理ガスにより満たされており、この空間からの処理ガスの漏洩が生じると、放電室２３２内のプラズマの密度や強度の分布等の処理の条件が変動するため、これを封止するためのシール部材２５１，２５１’が、図４に記載の実施例と同様の配置で備えられている。
【０１３０】
これらシール部材２５１或いは２５１’の構成により、空間３０１の放電室２３２の半径方向の隙間長さを周方向について略均等にすることがでる。
【０１３１】
また、石英内筒２３３の周方向には複数の貫通孔８０４が、円筒の中心について略同心のほぼ同角度の放射状に配置されており、貫通孔８０４を通り放電室２３２内に処理ガスが供給される。貫通孔８０４上記のように配置することにより処理ガスの供給が周方向に不均一となることを抑制し、これによる試料の面内方向の処理の不均一さ、精度の低下が抑制される。なお、本実施の形態では、これら複数の貫通孔８０４の形状は、０．１〜０．８ｍｍ前後となっている。
【０１３２】
すなわち、貫通孔８０４の位置は、形成される処理の条件を実現するために変更され、例えば、放電室２３２から真空室２３２’を通るガスの流れの分布に応じて、周方向に貫通孔８０４の数を局所的に偏らせたり、ガスの種類に応じて高さ位置を変更しても良い。例えば、放電室２３２内の反応性生物の分布や活性種、イオンの分布を適切に設定するため、その位置が決定される。また、これら貫通孔８０４の位置は、図８においては、石英内筒２３３の上部端部近傍に配置されているが、この位置では放電室２３２内の反応性生物の密度や強度の分布を調節しやすい位置となっている。一方、貫通孔８０４をより下端側で試料台２０４上の試料の高さにより近づけて配置した場合には、プラズマ内の解離率の調節をより容易に行ってプラズマ内のイオンの密度や強度を調節しやすい配置となっている。
【０１３３】
これら石英内筒２３３上の貫通孔８０４は、求められる仕様に応じて配置されるものであり、処理の仕様の変更の際に石英内筒２３３を適宜に交換して使用することができる。
【図面の簡単な説明】
【０１３４】
【図１】本発明のプラズマ処理装置を備えた真空処理装置の構成の全体を示す上面図。
【図２】図１に示す真空処理装置に配置された本発明のプラズマ処理装置の実施の形態に係る真空容器を中心とする構成の概略を示す縦断面図。
【図３】図２に示すプラズマ処理装置に係る真空容器の側壁の構成を拡大して示す縦断面図。
【図４】図３に示すプラズマ処理装置に係る真空容器の側壁の構成を拡大して示す縦断面図。
【図５】図４に示すプラズマ処理装置に係る真空容器の側壁の構成の変形例を示す縦断面図。
【図６】図４に示すプラズマ処理装置に係る真空容器の側壁の構成の別の変形例を示す縦断面図。
【図７】本発明のプラズマ処理装置の別の実施形態に係る真空容器を中心とする構成の概略を示す縦断面図。
【図８】図７に示すプラズマ処理装置に係る真空容器の側壁の構成を拡大して示す縦断面図。
【符号の説明】
【０１３５】
１００…真空処理装置
１０１…真空側ブロック
１０２…大気側ブロック
１０３…真空搬送容器
１０４ａ〜１０４ｄ…処理ユニット
１０５ａ〜１０５ｄ…試料台
１０６，１０７…ロードロック室
１０８…真空搬送ロボット
１０９，１０９’…ロボットアーム
１１０…ゲートユニット
１１１…ゲートユニット
１１２…大気搬送容器
１１３…大気搬送ロボット
１１３’…ロボットアーム
１１４…カセット
１１５…アライナ
２００…処理チャンバ
２０１…プロセスガスライン
２０２…遮断バルブ
２０３…石英プレート（蓋部材）
２０４…試料台
２０５…吊下げ梁
２０６…試料搬送装置
２０７…排気バルブ
２０８…排気ポンプ
２０９，２１０…内側チャンバ
２０９’…中間部材（アース部材）
２０９’’…カバーフランジ
２１１，２１２…外側チャンバ
２１３…プロセスゲートバルブ
２１４…大気ゲートバルブ
２１５…大気開放バルブ
２２０…支持梁
２２１…駆動手段
２２２…駆動手段
２２３…支持ベース部材
２２４…試料台ベースプレート
２２５…電波源部
２２６…アンテナ
２２７…コイル
２２８…誘電体
２２９…バッファ室
２３０…排気ゲートプレート
２３１…排気開口ゲート
２３１…プッシャ
２３２…放電室
２３２’…真空室
２３３…放電室内側壁部材（石英内筒）
２３４…シャワープレート
２３５…放電室ベースプレート
２３６…放電室外側壁部材
２３７…蓋下部リング
２３８…弾性リング
２３９…センサ
２４０…ヒータ
２４１…媒体通路
２４２…蓋部材
２５１…シール部材
２５１’…シール部材
３０１…空間
３０２…ガス導入管
４０２，４０３…制御器
５０１，６０１…切り欠き部（凹み部）
６０２、６０４…切り欠き部（面取り部）
８０４…貫通孔
６０３…傾斜面（曲面部）
６０５…凹み部
２０１１…熱伝導ガスライン
２０１２…遮断バルブ
【図１】
2006287053.tif 000003
【図２】
2006287053.tif 000004
【図３】
2006287053.tif 000005
【図４】
2006287053.tif 000006
【図５】
2006287053.tif 000007
【図６】
2006287053.tif 000008
【図７】
2006287053.tif 000009
【図８】
2006287053.tif 000010